Podtech/llm-jp-corpus-v4-ja_patent huggingface dataset:
(57)【要約】【課題】分電盤に伸縮棒が装置してるので、踏み台を使用せず手軽にレバ−を切替えが出来、待機電気をなくすことが出来る。又、額縁からひもが少し出ていると気になるので常に待機電気を意識出来る。【解決手段】分電盤に伸縮棒を設け、伸縮棒で使用して無い電気器具、部屋等のレバ−を操作して待機電気を無くす節電型、ＥＣ分電盤。【選択図】図１
2007325486.tif 000002
【特許請求の範囲】
【請求項１】
分電盤に伸縮棒を設け、伸縮棒で使用して無い電気器具、部屋等の配線用遮断レバ−を操作して待機電気を無くす節電型分電盤。
【発明の詳細な説明】
【技術分野】
【０００１】  本発明は、備え付きの伸縮棒で、長期使用しない電気器具や部屋の電気を分電盤の配線用遮断レバ−を、ＯＦＦにして待機電気を少なくする節電型の分電盤である。
【背景技術】
【０００２】  従来、一般家庭では分電盤が一ケ所にしか設置してない。
【発明の開示】
【発明が解決しようとする課題】
【０００３】  そのために、次のような問題点があった。
一般家庭の二階建、三階建の住宅でも分電盤は一ケ所しかない。その分電盤は、高齢者や女性には手の届かない高い所に設置されている。しかも、分電盤に記載されているラベルの字が小さくて見えにくい。さらに、年数が経つとラベルがくすんで字が見えなくなる。
本発明は以上の問題点を解決しようとするものである。
【課題を解決するための手段】
【０００４】  分電盤に伸縮棒を設け、伸縮棒で使用してない電気器具、部屋等を配線用遮断レバ−を操作して待機電気を無くす節電型分電盤である。
【発明の効果】
【００５】  本発明は、分電盤を１Ｆ用、２Ｆ用とで一組にし、各々に伸縮棒を設け、備え付けの伸縮棒で、使用してない電気器具、部屋等の配線遮断レバ−をＯＦＦにして待機電気をなくす。又配線用遮断レバ−の配線回路を示すラベルを例えばエアコンは青色にするとか、各レバ−のラベルを色分けする。
【発明を実施するための最良の形態】
【０００６】  以下、本発明の実施の形態を説明する。
（イ）分電盤に筒状で内部にメスネジを施した伸縮棒Ａ（５）、オスネジを施した伸縮棒Ｂ（６）、吊り具（１０）、紐（１１）、滑車（１３）、を固定板（１４）にセットしてビス（１７）で取り付け、併せて２Ｆ遮断器（４）と紐（１１）の一部にストッ玉（１２）を設ける。
（ロ）分電盤を１Ｆ分電盤（１）と２Ｆ分電盤（２）に分ける。
（ハ）１Ｆ分電盤（１）の２Ｆ遮断器（４）と２Ｆ分電盤（２）とを電線（３）で連結する。
（ニ）配線用遮断レバ−（２１）のラベルを、例えばエアコンは青色にするとか配線回路を色分けする、
本発明は、以上の構成よりなっている。
本発明を使用するときは、紐（１１）を下に引き、玉受け（１８）からストップ玉（１２）をはずすと伸縮棒Ａ（５）、伸縮棒Ｂ（６）が内臓された伸縮棒が自重でガイド（１５）にそって下りてきて、ツメ（９）がガイド開口部（１６）で停止するので、伸縮棒を固定板（１４）から取り外し、掛口穴（８）から吊り具（１０）をはずし、伸縮棒Ａ（５）から伸縮棒Ｂ（６）を回しながら引き出し長くして、ツメ（９）で１Ｆ分電盤（１）の使用していない電気器具、部屋の配線遮断器（２０）のレバ−をＯＦＦに切り替え、二階を使用していないときには１Ｆ分電盤（１）の２Ｆ遮断器（４）のレバ−をＯＦＦにすることにより二階えの電気を一括して止めることが出来、待機電気の節約になる。
【図面の簡単な説明】
【０００７】
【図１】本発明の斜視図
【図２】本発明の分解斜視図
【図３】本発明の使用状態を示す斜視図
【符号の説明】
【０００８】  １  １Ｆ分電盤
２  ２Ｆ分電盤
３  電線
４  ２Ｆ遮断器
５  伸縮棒Ａ
６  伸縮棒Ｂ
７  円孔
８  掛口穴
９  ツメ
１０  吊り具
１１  紐
１２  ストップ玉
１３  滑車
１４  固定板
１５  ガイド
１６  ガイド開口部
１７  ビス
１８  玉受け
１９  アンペアブレ−カ−
２０  漏電遮断器
２１  配線用遮断レバ−
２２  額縁
【図１】
2007325486.tif 000003
【図２】
2007325486.tif 000004
【図３】
2007325486.tif 000005
(57)【要約】【課題】地球の時間を止めて過去や未来に行き来する。【解決手段】地球にふりそそぐ光線を第一の光線としたら光線を出す人工衛星からの周波数のわずかに異なる第二の光線の効果によって第一の光線の強さが凝縮体の原子のエネルギーに転写されるエネルギーがゆっくりとしか伝わらず光が遅くなる。この状態で第二の光線を消すとエネルギーがの進行が止まり時間も止まる。光が止まれば情報は伝達されず出来事が起こらないので地球の時間を止めて過去や未来に行き来することが可能となる。【選択図】なし【特許請求の範囲】
【請求項１】
（ィ）地球にふりそそぐ光線を第一の光線としたら光線を出す人工衛星からの周波数のわずかに異なる第二の光線の効果によって第一の光線の強さが凝縮体の原子のエネルギーに転写されるエネルギーがゆっくりとしか伝わらず光が遅くなる。
（ロ）この状態で第二の光線を消すとエネルギーの進行が止まり時間も止まる。
（ハ）光が止まれば情報は伝達されず出来事が起こらないので地球の過去や未来の区別がなくなりその中を行き来できる。
以上の如く論理で導かれる地球の時間を止めて過去や未来に行き来する装置。
【発明の詳細な説明】
【技術分野】
【０００１】  本発明は、第一の光線と第二の光線の効果で地球の時間を止めて過去や未来に行き来する装置に関する。
【背景技術】
【０００２】  従来、地球全体の時間を止める装置はなく光を止め時間を止めることに成功した。【０００３】
【非特許文献１】「日経サイエンス」２００１年１０月号、５６頁から６４頁
【非特許文献２】タイムマシン開発競争に挑んだ物理学者、日経ＢＰ社、２００７年７月２３日、１１頁から１２頁
【発明の開示】
【発明が解決しようとする課題】
【０００４】  従来、地球全体の時間を止める装置はなく光を止め時間を止めることに成功しただけだった。よって地球の時間を止め過去や未来に行き来する。
【課題を解決するための手段】
【０００５】  地球にふりそそぐ光線を第一の光線としたら光線を出す人工衛星からの周波数のわずかに異なる第二の光線の効果によって第一の光線の強さが凝縮体の原子のエネルギーに転写されるエネルギーがゆっくりとしか伝わらず光が遅くなる。この状態で第二の光線を消すとエネルギーの進行が止まり時間も止まる。光が止まれば情報は伝達されず出来事が起こらないので地球の過去や未来の区別がなくなりその中を行き来できる。
【発明の効果】
【０００６】  地球の過去や未来の区別がなくなりその中を行き来できる。
【発明を実施するための最良の形態】
【０００７】      以下、本発明の実施例について時系列的論理的に文章で説明する。地球にふりそそぐ光線を第一の光線としたら光線を出す人工衛星からの周波数のわずかに異なる第二の光線の効果によって第一の光線の強さが凝縮体の原子のエネルギーに転写されるエネルギーがゆっくりとしか伝わらず光が遅くなる。この状態で第二の光線を消すとエネルギーの進行が止まり時間も止まる。光が止まれば情報は伝達されず出来事が起こらないので地球の過去や未来の区別がなくなりその中を行き来できる。以上の如く論理で導かれる地球の時間を止めて過去や未来に行き来する装置。
【実施例】
【０００８】      上記の如く実施される。
【産業上の利用可能性】
【０００９】      従来のタイムマシン技術が小規模のものを対象にしているのに対し地球全体という大規模なものを対象としており産業上の利用可能性は高いと解される。
(57)【要約】      （修正有）【課題】非常に微細なチップ電子部品を、気温や湿度等の条件によらず、スムーズに搬送できる振動式部品供給装置を提供する。【解決手段】０４０２サイズのチップ電子部品Ｐを搬送するシュート５の搬送面１０ａにブラスト加工を施して、その搬送面１０ａを梨地仕上げとすることにより、部品Ｐがごく微量の静電気や湿気の影響を受けにくくなり、搬送面１０ａへ貼り付くことなくスムーズに搬送されるようにした。【選択図】図２
2007022780.tif 000002
【特許請求の範囲】
【請求項１】
チップ電子部品を搬送する部材の搬送面にブラスト加工を施して、前記搬送面を梨地仕上げとした振動式部品供給装置。
【発明の詳細な説明】
【技術分野】
【０００１】
本発明は、微細なチップ電子部品を整列させて次工程に供給する振動式の部品供給装置に関する。
【背景技術】
【０００２】
電子機器に組み込まれるチップ電子部品（以下、単に「部品」とも記す。）には、高さと幅がほぼ等しく、長さが幅の２倍程度の直方体形状で、体積が１ｍｍ３程度以下の極めて微細なものがある。このような微細なチップ電子部品を整列させて次工程に供給する振動式の部品供給装置（例えば、特許文献１参照。）では、通常、搬送中の部品が引っ掛かって落下したり搬送速度が低下したりすることを防ぐために、部品を搬送する部材の搬送面の摩擦係数を極力小さくするよう、搬送面を研磨仕上げとしている。
【０００３】
ところで、最近のチップ電子部品では、電子機器の小型化に対応するために、従来よりもさらに微細な、長さ０．４ｍｍ×幅０．２ｍｍ（以下、「０４０２サイズ」と記す。）のものも徐々に使用されるようになってきている。一方、上記のように部品搬送面を研磨仕上げとした部品供給装置では、長さ０．６ｍｍ×幅０．３ｍｍ（０６０３サイズ）以上の大きさの部品はスムーズに搬送することができるが、０４０２サイズの部品は搬送面に貼り付いて搬送できなくなるというトラブルを生じることが多い。これは、０４０２サイズの部品では、重量が軽いため、ごく微量の静電気や湿気が搬送状態に及ぼす影響が大きく、気温や湿度等の条件によって搬送状態が不安定になりやすいからである。
【特許文献１】特開２０００−１１８６８２号公報
【発明の開示】
【発明が解決しようとする課題】
【０００４】
本発明の課題は、非常に微細なチップ電子部品を、気温や湿度等の条件によらず、スムーズに搬送できる振動式部品供給装置を提供することである。
【課題を解決するための手段】
【０００５】
上記の課題を解決するため、本発明の振動式部品供給装置は、チップ電子部品を搬送する部材の搬送面にブラスト加工を施して、前記搬送面を梨地仕上げとした。すなわち、部品搬送面を梨地仕上げとすることにより、０４０２サイズのような非常に微細な部品がごく微量の静電気や湿気の影響を受けにくいようにして、部品の搬送面への貼り付きを防止したのである。
【発明の効果】
【０００６】
本発明の振動式部品供給装置は、上述したように、部品を搬送する部材の搬送面にブラスト加工を施して、その搬送面を梨地仕上げとしたものであるから、０４０２サイズのような非常に微細なチップ電子部品の搬送面への貼り付きを防止でき、気温や湿度等の条件によらず、部品をスムーズに搬送することができる。従って、部品を安定して次工程に供給することができ、次工程以降の設備の稼働率を向上させることができる。
【発明を実施するための最良の形態】
【０００７】
以下、図１および図２に基づき、本発明の実施形態を説明する。この振動式部品供給装置は、表裏の方向性のある０４０２サイズのチップ電子部品Ｐ（図２参照）の整列供給を行うもので、図１に示すように、振動式ボウルフィーダ１に部品の表裏整列を行う振動式直進フィーダ２が接続されている。各フィーダ１、２は、それぞれ基台３上に設けた振動体（図示省略）に連結され、その搬送路上で部品Ｐを振動させて次工程まで搬送するようになっている。
【０００８】
前記ボウルフィーダ１の内側には、その底部から螺旋状に上昇する搬送路としてのトラック４が形成されており、このトラック４の最上部の排出端が、直進フィーダ２の搬送路を形成するシュート５の供給端に接続されている。
【０００９】
前記ボウルフィーダ１の底部に投入された部品Ｐは、ボウルフィーダ１から受ける振動によりトラック４上を搬送されていき、トラック４最上部の排出端から直進フィーダ２のシュート５の供給端に乗り移る。
【００１０】
直進フィーダ２のシュート５に供給された部品Ｐは、搬送路入口部６で一列一層に整列され、表裏反転部７に搬送される。表裏反転部７では、反射型光電センサ８が部品Ｐから受ける光量により部品Ｐの表裏の検出を行い、裏面を上向きにしたものは電磁弁９から送られる圧縮空気を噴き付けて反転させている。その下流の表裏選別部１０に搬送された部品Ｐは、表裏反転部７と同様に、反射型光電センサ１１により表裏の検出が行われ、裏面を上向きにしたものは電磁弁９から送られる圧縮空気を噴き付けられて搬送路から排除される。なお、表裏選別部１０では、光電センサ１１を２箇所に設けて表裏検出精度の向上を図っている。そして、表面が上向きの姿勢に整列された部品Ｐは、断面が矩形の搬送溝１２により上下方向および左右方向の動きを規制された状態で搬送され、その排出端から次工程に供給される。
【００１１】
ここで、図２に示すように、表裏選別部１０の搬送面１０ａは、研磨仕上げの後に粒度２００μｍ程度のガラスパウダーを用いたブラスト加工を施されて、梨地仕上げとされている。これにより、表裏選別部１０では、部品Ｐがごく微量の静電気や湿気の影響を受けにくくなり、搬送面１０ａに貼り付くことなくスムーズに搬送される。また、ブラスト加工には、搬送面１０ａの硬度を増して摩耗しにくくする利点もある。
【００１２】
なお、上述した実施形態では、特にスムーズな搬送を要求される直進フィーダ２の表裏選別部１０の搬送面１０ａのみを梨地仕上げとしたが、直進フィーダ２のシュート５の搬送面の他の部分や、ボウルフィーダ１のトラック４の一部、あるいはこれらの搬送面の全面を梨地仕上げとしてもよい。
【００１３】
また、本発明は、実施形態のようなボウルフィーダと直進フィーダを組み合わせた振動式部品供給装置に限らず、振動式直進フィーダとリターンシュートを組み合わせた部品供給装置、振動式ボウルフィーダのみまたは振動式直進フィーダのみの部品供給装置にも、もちろん適用できる。
【図面の簡単な説明】
【００１４】
【図１】実施形態の振動式部品供給装置の平面図
【図２】図１の部品供給装置の表裏選別部の搬送面の状態を示す外観斜視図
【符号の説明】
【００１５】
１  ボウルフィーダ
２  直進フィーダ
３  基台
４  トラック
５  シュート
６  入口部
７  表裏反転部
８  光電センサ
９  電磁弁
１０  表裏選別部
１０ａ  搬送面
１１  光電センサ
１２  搬送溝
Ｐ  部品
【図１】
2007022780.tif 000003
【図２】
2007022780.tif 000004
(57)【要約】【課題】ティッシュボックスに用いるカバー（ケース）は見た目重視で箱を覆うだけの物で、ティッシュボックスのペーパー取り出し口から引っ張り出す為のペーパーの外部へ出る量を調整できない為、使い出してすぐに重なって滑り出してきたペーパーの半分程が取り出し口から外部へ出ていて、空気中の埃やばい菌が付着して不潔である。【解決手段】ティッシュボックスのペーパー取り出し口から引っ張り出す為のペーパーの外部へ出る量を調整する機能（楕円筒状で上下自在の蛇腹）を設けた為、使い始めから終わりまでペーパーが出る量を制限でき、空気中の埃やばい菌が付着するのを最小限に防ぐことができる。また、ティッシュボックスを壁際に置いた時、蛇腹の向きを調整することによりティッシュペーパーパーを取り出す方向を変えることができる。【選択図】図１
2007022647.tif 000002
【特許請求の範囲】
【請求項１】
ティッシュボックスのペーパー取り出し口に引っ張り出す為のペーパーの外部へ出る量を調整する機能を設けたことを特徴とするティッシュボックスカバー（ケース）。
【請求項２】
前記のペーパー取り出し口に引っ張り出す為のペーパーの外部へ出る量を調整する機能は楕円筒状で上下自在の蛇腹であることを特徴とする請求項１記載のティッシュボックスカバー（ケース）。
【発明の詳細な説明】
【技術分野】
【０００１】  この発明は、ティッシュボックスに用いるカバー（ケース）の形状に関する。
【背景技術】
【０００２】  従来のティッシュボックスに用いるカバー（ケース）は見た目重視で箱を覆うだけの物だった。
【発明の開示】
【発明が解決しようとする課題】
【０００３】しかしながら、以上の技術によれば、ティッシュボックスのペーパー取り出し口から引っ張り出す為のペーパーの外部へ出る量を調整できない為、使い出してすぐに重なって滑り出してきたペーパーの半分程が取り出し口から外部へ出ていて、空気中の埃やばい菌が付着して不潔である。
そこで、この発明は、ティッシュボックスのペーパー取り出し口から引っ張り出す為のペーパーの外部へ出る量を使い始めから終わりまで調整できることを提供することを課題とする。
【課題を解決するための手段】
【０００４】  以上の課題を解決するために、第一発明は、ティッシュボックスのペーパー取り出し口に引っ張り出す為のペーパーの外部へ出る量を調整する機能を設けたことを特徴とするティッシュボックスカバー（ケース）である。
また第二発明は、ティッシュボックスのペーパー取り出し口に引っ張り出す為のペーパーの外部へ出る量を調整する機能を設け、この機能は楕円筒状で上下自在の蛇腹であることを特徴とするティッシュボックスカバー（ケース）である。
【発明の効果】
【０００５】  第一発明、または第二発明によれば、ティッシュボックスのペーパー取り出し口から引っ張り出す為のペーパーの外部へ出る量を調整する機能を設けた為、使い始めから終わりまでペーパーが出る量を制限でき、空気中の埃やばい菌が付着するのを最小限に防ぐことができる。また、ティッシュボックスを壁際に置いた時、蛇腹の向きを調整することによりティッシュペーパーパーを取り出す方向を変えることができる。
【発明を実施するための最良の形態】
【０００６】  この発明の一実施形態を、図１に示す。
ティッシュボックスカバー（ケース）本体▲１▼の上面（ペーパー取り出し口面）に楕円筒状で上下自在の蛇腹▲２▼を設け、その上部に長手方向中央でティッシュを取り出すための隙間を空けたフィルム▲３▼を設ける。ティッシュボックス挿入口▲４▼に蓋を設ける。【０００７】「実施形態の効果」
この実施形態によれば、楕円筒状で上下自在の蛇腹を調整することによりティッシュペーパーの取り出し口から外部へペーパーが出る量を制限できる。ペーパーを必要以上外部に出さないので、空気中の埃やばい菌に触れる部分が最小限になる。また、ティッシュボックスを壁際に置いた時、蛇腹の向きを調整することによりティッシュペーパーパーを取り出す方向を変えることができる。【０００８】「他の実施形態」
【図面の簡単な説明】
【０００９】
【図１】この発明の一実施形態を示す斜視図である。
【符号の説明】
【００１０】      ▲１▼  ティッシュボックスカバー（ケース）本体
▲２▼  楕円筒状で上下自在の蛇腹
▲３▼  フィルム
▲４▼  ティッシュボックス挿入口
【図１】
2007022647.tif 000003
(57)【要約】【課題】    従来の液体保管容器は  液体の保管条件と関係有害菌類の繁殖条件が  近似又は  重複する場合  液体へ保存料・防腐剤を混入が成されていた。しかしそれは液体の品質を損ねる場合もあり、安全無害な保存料・防腐剤と保存方法の開発が待たれていた。【解決手段】液体へ混入するのでは無く  容器内面に抗菌防カビ剤を施し、抗菌防カビ剤原料として、必須ミネラルと食用アミノ酸のみを採用する事により、液体に最適な保存条件を採用できる。【選択図】  なし【特許請求の範囲】
【請求項１】
安全無害な  必須ミネラル酸化物と水酸化物より成る  抗菌防カビ剤を配合した内面を保持して、成る安全無害な  液体保管容器。
【請求項２】
安全無害な  必須ミネラルと食用アミノ酸より成る  抗菌防カビ剤を配合した被覆剤を  容器の内面に被覆して、成る安全無害な  液体保管容器。
【発明の詳細な説明】
【技術分野】
【０００１】  本発明は  医療・保険・製薬・食品加工などで採用される液体材料を  衛生的に良好な状態に保つ為  液体材料の保管条件と関係有害菌類の繁殖条件が  近似又は重複する場合安全無害な抗菌防カビ剤を施す事によって、理想的な保管条件を得るのもである。
【発明の開示】
【発明が解決しようとする課題】
【０００２】  従来  医療・保険・製薬・食品加工などで採用される容什器などの衛生状況を保持する為に  関係有害菌類の繁殖条件と離れた保管条件を設定するか  又は  使用間際に  殺菌消毒するかしていた。しかし  内容物が既に充填されている場合  その内容物の保管条件と関係有害菌類の繁殖条件が  近似又は重複する場合  内容物へ保存料・防腐剤を混入が成されていた。保存料・防腐剤には  大別して  次の６種の薬剤が採用されていた。
▲１▼過酸化物、  ▲２▼石炭酸系化合物、  ▲３▼ハロゲン系有機化合物、  ▲４▼砒素系有機化合物、  ▲５▼水銀、銀などの必須ではない金属とその化合物  ▲６▼抗生物質
しかし  それらは  液状内容物の品質を損ねる場合もあり、安全無害な  保存料・防腐剤と  保存方法の開発が待たれていた。
【課題を解決する為の手段】
【０００３】  安全無害である為に  内容物へ混入するのでは無く  容器の内面に抗菌防カビ剤を施し、更に抗菌防カビ剤原料として  必須ミネラルと  食用アミノ酸のみを採用する事により、蓄積毒にも環境汚染にも成らず、  程々の溶解度を選ぶ事により  徐放性・持続性もあり、安全無害で永続で  更に  内容物に最適な保存条件を採用できる。
【発明の効果】
【０００４】  必須ミネラルとして  銅及び亜鉛を採用する事で  充分な抗菌防カビ効果が得られ、且つ  少量  生体内に摂取される事が有っても  必須ながら不足に成り易い銅と亜鉛はサプリメントとして積極的に摂取を促される程であるから、なんら案ずることは無い。
【０００５】  必須ミネラルと食用アミノ酸を錯体の配位子に採用すれば  容器材質との親和性がよく成形・塗装の何れの場合でも分散し易く、溶出性・徐放性・永続性も選択が可能となる。
【０００６】  ミネラルとアミノ酸を選択し  単一又は複合で錯体化する事により  被覆材料に対する溶解度・親和度  更に  電解度を調整する事ができ、徐放性・永続性を操縦する事が可能である。
【発明を実施する為の最良の形態】
【０００７】  必須ミネラルのみを主体として抗菌防カビ剤を造る場合は  銅及び亜鉛を中心としてマグネシウムやカルシウムの酸化物や水酸化物からなる固溶体を造り、プラスチック、ガラス、陶磁器、金属などの容器内面に混入する。又  必須ミネラルと食用アミノ酸による錯体を造った場合はし、硬化性樹脂へ分散し  容器内面へ被覆し  保存容器とする。
【実施例１】
【０００８】  亜鉛を中心に酸化マグネシウムで固溶化した抗菌防カビ剤を  ガラスへ配合し成形したガラス瓶は  栄養素を含んだ水溶液を常温で長期間保存する事ができる。
【実施例２】
【０００９】    銅とグルタミン酸によって造られた錯体を硬化性ウレタン樹脂塗料へ配合し  ＰＥＴ容器内面へ被覆したものは  栄養素を含んだ水溶液を常温で長期間保存する事ができる。
(57)【要約】【課題】  絵具等用チューブの蓋の上面に、絵具等を塗着し保護蓋を設けることにより、蓋の上面を絵具等の色見本として使用する、絵具等用チューブの蓋及びその使用方法を提供する。【解決手段】蓋（１）の上面（２）の周縁（５）より緩斜した窪み（６）を設け、且つ、蓋（１）の上面（２）と縁辺（３）に嵌合する保護蓋（４）を設けることにより、チューブ（８）の蓋（１）の上面（２）の緩斜した窪み（６）の作用により絵具等（７）の濃淡の表現を可能にし、蓋（１）の上面（２）を保護蓋（４）により保護した事を特徴とする使用。【選択図】  図３
2007022644.tif 000002
【特許請求の範囲】
【請求項１】
蓋（１）の上面（２）の周縁（５）より緩斜した窪み（６）を設けた絵具等用チューブの蓋。
【請求項２】
蓋（１）の上面（２）と縁辺（３）に嵌合する保護蓋（４）を設けたことを特徴とする、請求項１記載の絵具等用チューブの蓋。
【請求項３】
蓋（１）の上面（２）の周縁（５）より緩斜した窪み（６）を設け、且つ、蓋（１）の上面（２）と縁辺（３）に嵌合する保護蓋（４）を設けることにより、チューブ（８）の蓋（１）の上面（２）の緩斜した窪み（６）の作用により絵具等（７）の濃淡の表現を可能にし、蓋（１）の上面（２）を保護蓋（４）により保護した事を特徴とする使用方法。
【発明の詳細な説明】
【技術分野】
【０００１】この発明は、チューブの蓋の上面に絵具等を塗着し、上面を覆う保護蓋を設けることにより、蓋の上面を色見本として使用する、絵具等用チューブの蓋及びその使用方法に関するものである。
【背景技術】
【０００２】従来の絵具等用チューブには、ラベルに色見本と色名等が印刷されているが正確さを欠いている。その結果、チューブの外観から中の絵具等の色あいを正確に確認する方法は無かった。
【発明の開示】
【発明が解決しようとする課題】
【０００３】これは次のような欠点があった。
同じ色名であっても、製造会社により絵具等の色あいが微妙に違う。したがって、チューブに貼られている、ラベルに印刷された色見本の色あいが頼りと成るが、ラベルに印刷された色見本の色あいと絵具等の色あいは微妙に異なる。さらに、印刷された色見本は長時間経てば褪色して正確さを欠き迷いを生じていた。
したがって、チューブの蓋を取りチューブの中の絵具等の色あいを確認しなければ正確な選択は出来ない。これは、きわめてわずらわしい作業である。
本発明は、以上のような欠点を無くするためになされたものである。
【課題を解決するための手段】
【０００４】蓋（１）の上面（２）の周縁（５）より緩斜した窪み（６）を設け、蓋（１）の上面（２）と縁辺（３）に嵌合する保護蓋（４）を設け、且つ、チューブ（８）の蓋（１）の上面（２）の緩斜した窪み（６）の作用により絵具等（７）の濃淡の表現を可能にし、蓋（１）の上面（２）を保護蓋（４）により保護した事を特徴とする使用。
本発明は、以上の構成よりなる絵具等用チューブの蓋及びその使用方法である。
【発明の効果】
【０００５】絵具等用チューブの蓋の上面に、チューブ内と同じ絵具等を塗着する事により蓋の上面が正確な色見本となる。したがって、色名と色あいを覚えなくても絵具等の色あいの正確な選択が可能となる。さらに、チューブの蓋を取って中の絵具等の色あいの確認をしなくてもよく、絵具等の選択時間の短縮が計れる。
絵具等用チューブの蓋の上面に透明な素材から成る保護蓋が設けられており、色見本の汚れを防ぐことが出来る。
さらに、絵具等用チューブの蓋の上面に設けられた、緩斜した窪みの作用により絵具等の濃淡の表現ができる。したがって、濃淡による発色の違いも正確に把握できる。蓋の上面が色見本となる為にチューブの縦置きが可能となり、チューブの置き場所が少なくてすみ保管が便利と成る。
【発明を実施するための最良の形態】
【０００６】以下、この発明の請求項１記載の発明の一実施例を図１に基づいて詳述すると、蓋（１）の上面（２）の周縁（５）より緩斜した窪み（６）を設ける。
本発明は、以上のような構造でこれを使用するにあたっては、周縁（５）から緩斜した窪み（６）の作用により塗着物の濃淡の変化を表現できる。【０００７】つぎに、この発明の請求項２記載の発明の一実施例を図２に基づいて詳述すると、蓋（１）の上面（２）と縁辺（３）に嵌合する保護蓋（４）を設ける。
本発明は、以上のような構造でこれを使用するにあたっては、チューブの蓋（１）の上面（２）と縁辺（３）に嵌合する透明な素材から成る保護蓋（４）を設けることにより、蓋（１）の上面（２）の汚れを防ぐことが出来る。【０００８】つぎに、この発明の請求項３記載の発明の一実施例を図３に基づいて詳述すると、蓋（１）の上面（２）の周縁（５）より緩斜した窪み（６）を設け、且つ、蓋（１）の上面（２）と縁辺（３）に嵌合する保護蓋（４）を設けることにより、チューブ（８）の蓋（１）の上面（２）の緩斜した窪み（６）の作用により絵具等（７）の濃淡の表現を可能にし、蓋（１）の上面（２）を保護蓋（４）により保護した事を特徴とする使用。
本発明は、以上のような使用方法でこれを使用するにあたっては、蓋（１）の緩斜した窪み（６）に絵具等（７）を塗着しヘラ等でならすと、該、絵具等（７）は緩斜した窪み（６）の作用により濃淡ができる。且つ、保護蓋（４）により絵具等（７）の汚れを防ぐことが出来る。したがって、絵具等（７）の色あいと濃淡による発色の違いを正確に把握できる。
【産業上の利用可能性】
【０００９】絵具等の色あいの選択が正確に成ることにより、チューブの選択・収納時間の短縮が図れる。又、絵具等用チューブの蓋の活用方法として、絵具以外に色付きパテ等にも適用でき、作業性・経済性面で効果を発揮する点で産業上の利用可能性を有する。
【図面の簡単な説明】
【００１０】
【図１】この発明における請求項１の発明の一実施例を示し、（Ａ）は分解斜視図であり、（Ｂ）はａ−ａの縦断面図である。
【００１１】
【図２】この発明における請求項２の発明の一実施例を示し、（Ａ）は分解斜視図であり、（Ｂ）は斜視図である。
【００１２】
【図３】この発明における請求項３の発明の一実施例を示し、（Ａ）は斜視図である。
【符号の説明】
【００１３】  １      蓋
２      上面
３      縁辺
４      保護蓋
５      周縁
６      緩斜した窪み
７      絵具等
８      チューブ
【図１】
2007022644.tif 000003
【図２】
2007022644.tif 000004
【図３】
2007022644.tif 000005
(57)【要約】【課題】  従来は、お風呂等の天井、カビ取り掃除をする時、洗剤の出口が短いため、洗剤が顔に掛かってしまい危険だった、また、伽脱に登ってカビ取りすれば、ふらつき、とても危険だった。【解決手段】  容器に、伸び縮みストロー形式を使い、３段階にし２５センチまで伸びるようにした、伸びる事によって、顔が、洗剤の出口から離れるので、洗剤が顔に掛かることは無い、また、伸び縮みストロー形式は、４段階、５段階にして、より長くしても良い。【選択図】図１
2007022650.tif 000002
【特許請求の範囲】
【請求項１】
お風呂の天井等に手が届かないカビの掃除をする時き、上に向けてカビ洗剤をかけると顔に洗剤が掛かった、また、伽脱に上がってカビの洗剤を掛けると、足元がふらつき、洗剤が汚れの場所に届かない、従って、目的のカビを落とす場所に洗剤が届く事を特徴とする、伸び縮み洗剤容器。
【請求項２】
前記、伸び縮み洗剤容器は、手元で操作でき、長さは汚れの場所に合わせて調節できる事を特徴とする、伸び縮み洗剤容器。
【発明の詳細な説明】
【技術の分野】
【０００１】  本発明は、現在のカビ用、容器は、天井等の高い所は手が届かず、顔に洗剤が、掛かり危険である事を防ぐ、伸び縮み洗剤容器に関する。
【背景技術】
【０００２】  従来のカビ用、容器をお風呂の天井のカビに向けて洗剤を噴霧していた、また、椅子の上に乗り、カビに洗剤を噴霧していた。
【発明の開示】
【発明が解決しようとする課題】
【０００３】  以上に述べた従来のカビ用、容器では、お風呂の天井のカビに洗剤を噴霧すると、噴霧の出口が手元から短いため、顔に掛かり危険であった、また、椅子の上に乗ってカビの洗剤を噴霧すると足元がふらつき危険であった。【０００４】  本発明は、このような従来のカビ用、容器が手元で伸び縮みするようにし、お風呂の天井等にカビ洗剤を噴霧する時、危険が無く安全に、カビ洗剤を噴霧できることを課題とする。
【課題を解決するための手段】
【０００５】  以上の課題を解決するために、第一発明は、図１−５洗剤容器に図２のストロー式伸び縮み容器を、図２−１容器取替え口をネジ式で止める、また、図２は、伸び縮みストロー形式なので、３段階に伸びるため、洗剤の容器出口は２５センチ長くなる、伸び縮み洗剤容器。【０００６】  第二発明によれば、ストロー形式、伸び縮みは、図２−８、Ｄは、先が折り曲げられるように成っており、カビの汚れた方向に向けられる、伸び縮み洗剤容器。
【発明の効果】
【０００７】  第一発明、第二発明、によれば、カビ用容器の洗剤出口は、伸び縮みストロー式なのでノズルが伸び、カビから離れてカビ洗剤を噴霧する事ができ、顔に掛かる事は無く安全である、伸び縮み洗剤容器。
【発明の実施するための最良の形態】
【０００８】  以下、本発明の実施の形態を図１〜図４に基づいて説明する。
【０００９】  図１は全体の実施形態で、図１−７はストロー式外ノズル図４−Ａ、Ｂ、Ｃと３段階に延びる、また、図１−６はストロー式中ノズルであり、図４−Ｄ、Ｅ、Ｆと３段階に延びる。
【００１０】  図１−ａ伸び縮み出しつまみ、を引くと７ストロー式中ノズルと６ストロー式外ノズルとが出る
【００１１】  図１−１は、ネジ式で交換できる。
【００１２】  図２伸び縮み容器は図２−８とＤの先が折り曲げストローの様になっている。
【００１３】  図２−６ストロー式中ノズルで、３段階に成っており、Ｄ、Ｅ、Ｆ伸び縮みストローの様になっていて、Ａ、Ｂ、Ｃの７ストロー式外ノズルと結合してある。
【００１４】  図２−１はネジに成っており、図１−５洗剤容器に取り付ける用になってある。
【００１５】  図３−６ストロー式中ノズルの中に、ｄが入り、ｄは、ｃの中に入る、ｃはｄに入り、結合する、従って、洗剤が出やすくなる。
【００１６】  図４−７は、Ａ、Ｂ、Ｃ、３段階に、ストロー式に伸びる。
【００１７】  図４−６は、Ｄ、Ｅ、Ｆ、３段階に、ストロー式に伸びる。
【実施形態の効果】
この実施形態によれば、洗剤容器の出口が伸びるので、手元から遠のき、カビの傍で噴霧しても、ノズルが伸び、長くなるので、顔には洗剤が掛からない。
【図面の簡単な説明】
【００１８】
【図１】ａ伸び縮み出しつまみを引くとストロー式外ノズル７、Ａ、Ｂ、Ｃとストロー式中ノズル６、Ｄ，Ｅ，Ｆが長く延びる。
【００１９】
【図２】１は、容器取替え口でネジになってある。
【００２０】  図２伸び縮み容器である、８曲がりストロー式外と９曲がりストロー式中の、先が曲がりストローの様に成っており、汚れた、場所へ洗剤を噴霧できる。【００２１】
【図３】は洗剤が出やすくするために、ｂの蓋に、ｃ噴霧装置入り、ｃ噴霧装置にｄ噴霧装置小が入り、ｄ噴霧装置小の上から６が入る。
【００２２】
【図４】３は洗剤押し上げ手元である。
【００２３】
【図４】４は洗剤押し上げポンプである。
【符号の説明】
【００２４】      １．容器取替え口
２．洗剤出口
３．洗剤押し上げ手元
４．洗剤押し上げポンプ
５．洗剤容器
６．ストロー式中ノズル
７．ストロー式外ノズル
８．曲がりストロー式外
９．曲がりストロー式中
ａ．伸び縮み出しつまみ
ｂ．蓋
ｃ．噴霧裝置
ｄ．噴霧装置小
Ａ．外伸び縮みストロー式小
Ｂ．外伸び縮みストロー式中
Ｃ．外伸び縮みストロー式大
Ｄ．中伸び縮みストロー式小
Ｅ．中伸び縮みストロー式中
Ｆ．中伸び縮みストロー式大
【図１】
2007022650.tif 000003
【図２】
2007022650.tif 000004
【図３】
2007022650.tif 000005
【図４】
2007022650.tif 000006
(57)【要約】【課題】一般市販されている、樹脂系製品で出来ている絞り出して使用するチューブ式製品の、はみがき、化粧品、及び食品、薬品等は、ある程度（約３分の１位）使用してくると次回使用するとき手でおしても、中身がチューブの後方に押し戻されてしまい絞り出し口から、中身が容易出にくくなり大変不便な思いをするものであった。【解決手段】丸棒状のステンレス鋼材をＵ字型及びＣ字型に折り曲げて、その鋼材の素材の持つ反発力により、チューブ式の制品を回転部ローラーに挟み込み、回転部ローラーを指で押し回転させる事により絞り出して使用するチューブ式製品の、中身が常に絞り出し口に押し込まれて、常に充満状態になり容易に中身を絞り出して使用する事ができ最後まで無駄なくきれいに使用する事ができる。【選択図】  図１
2007022652.tif 000002
【特許請求の範囲】
【請求項１】
（１）回転部ローラーにはステンレス鋼材を使用する事により、すべり防止用の凹凸模様の溝又は直線状の溝を全面に施す事ができる為、より滑りにくくなり、容易に回転部ローラーを回転させる事ができある。
【請求項２】
（２）本体フレームの素材は、丸棒状のステンレス鋼材を使用する事により、本体フレームをＵ字型又はＣ字型に折り曲げて使用する事が可能になり素材自体が持つ反発力を活用する事が出来るため、簡単でシンプルな構造にする事ができ安全で洗浄が可能であり非常に衛生的である。
【請求項３】
（３）回転部ローラー部の、直径  長さ  及び本体フレームの  幅  長さフレームの太さを、変える事により多種多様のチューブ式製品に対応する事が出来る。
【請求項４】
（４）本体フレームにローラー部側面の凸部を、本体フレーム先端に取り付けたドーナツ型のリング凹に組み込む事により簡単で容易にローラー部を回転させる事が出来る。
【発明の詳細な説明】
【技術分野】
【０００１】  本発明は、ある程度使用したチューブ式製品を、二つの回転するローラー部に挟み込んでローラー部を回転させる事により、チューブ式製品の中身を出口前方に押し出して中身を常に充満状態にする事により容易に使用出来るようにしたものである。
【背景技術】
【０００２】  従来は、本発明に関連するような製品等が市販されていない様であり、本発明が商品化すれば構造及び機能面においても簡単であり、安全で使いやすく経済的であり非常に期待のもてる商品である。
【発明の開示】
【発明が解決しようとする課題】
【０００３】  毎日使用する、はみがき  洗顔フォームやその他食品  薬品など多種多様な物がチューブ式商品として市販されて使用されているが、製品の多くが約３分の１位使用してくると中身の一部が後方に押し戻され、思う様に絞り出す事が出来にくくなり大変不便な思いをするものであった。
【課題を解決するための手段】
【０００４】  本発明は、丸棒状のステンレス鋼材をＵ字型およびＣ字型に折り曲げて、その両先端部に、ドーナツ型状の凹型の穴の空いたリング部を取り付けたフレームを、二組を並行に並べて二組の回転用ローーラ用部の凸部の両方を、リング部の穴に上下に組み込んでフレーム間を接合して固定するものである。【０００５】  フレームに組み込まれた回転用ローラー部に、チューブ式製品を挟む事により回転ローラー部間に素材本来の持つ反発力により適度な圧力がかかり、ローラー部を回転させる事によりチューブ式製品の中身が、出口前方に押し込まれ中身が常に充満状態になるため、容易に絞り出して使用する事ができるものである。
【発明の効果】
【０００６】  本発明ローラー式チューブ式製品絞り器によれば、図７に示すようにチューブ式製品を安全に無駄なく容易に最後まできれいに使いきる事ができる為、たいへん経済的で洗浄が可能であり非常に衛生的である。
【発明を実施するための最良の形態】
【０００７】  以下、図面に示す実施の形態により本発明を詳細に説明する。図面に於いて、図１は本発明ローラー式チューブ式製品絞り器の全体図である。図２は本発明ローラー式チューーブ式製品絞り器の平面図である。図３は図１の左側面図であり、右側面図も図３と同図である。図４は図１の正面図である。図５はフレーム（Ｕ字型）の側面図である。図６は回転ローラーの正面図である。図７は使用状態を示す側面図である。
【実施例１】
【０００８】  丸棒状のステンレス鋼材を、Ｕ字型及びＣ字型に折り曲げその先端部に、ドーナツ型状の凹部のついた円形型のリング４を、図５に示すようにそれぞれ上下に同じ面が同一方向になるように取りつけたフレームを、二組用いるものである。【０００９】  その二組のフレームを、上下のリングが対面するように二組並行に並べて、各上下のリングの凹部に、図６に示すローラー部の凸部２を組み込んで取り付け、各二組のフレーム間どうしを図２に示すように同じ素材のステンレス鋼材で接合６するものである。
【図面の簡単な説明】
【００１０】
【図１】  本発明ローラー式チューブ式製品絞り器の全体図である。
【図２】  本発明の平面図である。
【図３】  本発明側面図である。
【図４】  本発明の正面図である。
【図５】  本発明のフレームの側面図である。
【図６】  本発明の回転ローラーの正面図である。
【図７】  本発明の使用状態を示す側面図である。
【符号の説明】
【００１１】    １  回転ローラー
２  回転ローラー凸部
３  フレーム（Ｕ字型）
４  凹型リング
５  フレーム間接合部材
６  接合部
【図１】
2007022652.tif 000003
【図２】
2007022652.tif 000004
【図３】
2007022652.tif 000005
【図４】
2007022652.tif 000006
【図５】
2007022652.tif 000007
【図６】
2007022652.tif 000008
【図７】
2007022652.tif 000009
(57)【要約】      （修正有）【課題】求核種を反応させることによって、4位に求核種が導入されたテトラヒドロピランを生成させることが出来る有用性のある新規なオキソニウムイオンを提供することである。【解決手段】酸性条件下、3-ブテン-1-オール及びホルムアルデヒド誘導体（例えば、ホルマリン、パラホルムアルデヒド、トリオキサン）を反応させることによって得られるオキソニウムイオンであって、求核種と反応することによって、4位に求核種が導入されたテトラヒドロピランを生成させることが出来る。例えば、塩素イオンを反応させることによって、４−クロロテトラヒドロピランを製造できる。【選択図】  なし【特許請求の範囲】
【請求項１】
酸性条件下、3-ブテン-1-オール及びホルムアルデヒド誘導体を反応させることによって得られるオキソニウムイオンであって、求核種を反応させることによって、4位に求核種が導入されたテトラヒドロピランを生成させることが出来る新規なオキソニウムイオン。
【発明の詳細な説明】
【技術分野】
【０００１】
本発明は、新規なオキソニウムイオンに関する。新規なオキソニウムイオンは、求核種を反応させることによって、4位に求核種が導入されたテトラヒドロピランを生成させることが出来る有用な化合物である。
【背景技術】
【０００２】
従来、本発明の新規なオキソニウムイオンは、全く知られていなかった。
【発明の開示】
【発明が解決しようとする課題】
【０００３】
本発明の課題は、新規なオキソニウムイオンを提供することにある。
【課題を解決するための手段】
【０００４】
本発明の課題は、酸性条件下、3-ブテン-1-オール及びホルムアルデヒド誘導体を反応させることによって得られるオキソニウムイオンであって、求核種と反応することによって、4位に求核種が導入されたテトラヒドロピランを生成させることが出来る新規なオキソニウムイオンによって解決される。
【発明の効果】
【０００５】
本発明により、有用性のある新規なオキソニウムイオンを提供することが出来る。
【発明を実施するための最良の形態】
【０００６】
本発明において使用するホルムアルデヒド誘導体としては、ホルムアルデヒドの水溶液又はホルムアルデヒドの重合体が挙げられるが、例えば、ホルマリン、パラホルムアルデヒド、トリオキサンが好適に使用される。なお、これらのホルムアルデヒド誘導体は、単独又は二種以上を混合して使用しても良い。
【０００７】
前記ホルムアルデヒドの使用量は、3-ブテン-1-オール1モルに対して、ホルムアルデヒド換算で、好ましくは1.0〜5.0モル、更に好ましくは1.1〜2.0モルである。
【０００８】
本発明の新規なオキソニウムイオンは、例えば、酸性条件下、3-ブテン-1-オール及びホルムアルデヒド誘導体を混合して、攪拌させる等の方法によって得られる。その際の反応温度は、好ましくは10〜80℃、更に好ましくは20〜60℃であり、反応圧力は特に制限されない。
【０００９】
本発明の新規なオキソニウムイオンは、求核種を反応させることによって、4位に求核種が導入されたテトラヒドロピランを生成させることが出来るが、例えば、塩素イオンを反応させることによって、4-クロロテトラヒドロピランを生成させることが出来る。
【００１０】
なお、本発明の新規なオキソニウムイオンは、化学反応式（１）の反応機構によって生成すると推定される（オキソニウムイオンは、数種の構造異性体を有する）。
【００１１】
【化１】
2007022983.tif 000002
【実施例】
【００１２】
次に、実施例を挙げて本発明を具体的に説明するが、本発明の範囲はこれらに限定されるものではない。
【００１３】
実施例１
攪拌装置、温度計及び滴下漏斗を備えた内容積10mlのガラス製フラスコに、酢酸5ml、92質量％パラホルムアルデヒド0.50g(15.3mmol)、3-ブテン-1-オール1.00g(13.9mmol)及び塩化リチウム1.17g(27.8mmol)加えた後、75〜80℃で12時間反応させた（即ち、パラホルムアルデヒドと3-ブテン-1-オールとを反応させてオキソニウムイオンを生成させながら、これに求核種（塩素イオン及び酢酸イオン）を連続的に反応させた）。反応終了後、反応液をガスクロマトグラフィーで分析したところ、4-クロロテトラヒドロピラン（塩素イオン（求核種）が4位に導入された化合物）が収率50％、4-アセチルオキシテトラヒドロピラン（酢酸イオン（求核種）が4位に導入された化合物）が収率21％で生成していた。
【産業上の利用可能性】
【００１４】
本発明は、新規なオキソニウムイオンに関する。新規なオキソニウムイオンは、求核種を反応させることによって、4位に求核種が導入されたテトラヒドロピランを生成させることが出来る有用な化合物である。
(57)【要約】    【課題】少量の摂取でも十分な排便促進等の便通改善効果を示す、安全性の高い、また、ミネラル吸収抑制の弊害のない優れた便通改善剤、及びこの便通改善剤を添加した便通改善効果を有する飲食品を提供すること。    【解決手段】γ−ＰＧＡを有効成分とする便通改善剤および便通改善食品。【選択図】なし【特許請求の範囲】
【請求項１】
γ−ポリグルタミン酸を有効成分とすることを特徴とする便通改善剤。
【請求項２】
γ−ポリグルタミン酸を添加したことを特徴とする便通改善飲食品。
【発明の詳細な説明】
【技術分野】
【０００１】
本発明は、γ−ポリグルタミン酸（以下、γ−ＰＧＡと略記することがある）を有効成分とする便通改善剤および便通改善効果を有する飲食品に関する。
【背景技術】
【０００２】
便秘は不快症状の一つであるだけでなく、ニキビ、吹き出物、肌荒れ、肩こり、頭痛などの美容や健康面における問題の間接的な原因となっている。近年は便秘と大腸癌との因果関係も指摘されている。
【０００３】
便秘解消法としては、適度な運動や繊維質を積極的に摂取する食生活の改善などが挙げられる。このような生活習慣の改善による方法の他に、便秘解消を目的とした食品及び医薬品を摂取する方法がある。
【０００４】
医薬品は即効性があるが、言い換えれば下剤であるため、長期間の連用に適さないことが多い。また、下剤は続けて服用すると効かなくなることや、排便のコントロールができないという欠点を有する。
【０００５】
一方、食品では食物繊維等が用いられる。食物繊維は、安全性は高いが、それのみでは作用が穏やかすぎるため、便通改善効果を上げるためには多量の食物繊維の摂取が必要となる。ところが、例えばアルギン酸などのような食物繊維は、水に対する溶解度が非常に低く、またゲル化するため、多量に摂取することが難しい。その他の水溶性食物繊維、不溶性食物繊維等を用いて飲食品を製造した場合にも、飲食品本来の持つ外観、味、歯触り、滑らかさなどの食感を損なう場合が多いため、食品中に十分な量で含有させることが困難であり、適用分野が限定されるなどし、また、更にそのような飲食品を長期間摂取し続けるのは困難である。これらの問題を改善するため、摂取を簡便にするための食物繊維の微細な粉末化の検討や（特許文献１）、食物繊維の必要摂取量を減らすための配合による効果の検討として、複数の食物繊維の併用や食物繊維と他の物質の併用の提案がなされている（特許文献２）。しかし、食物繊維の過剰摂取によるミネラルの体内吸収抑制などの弊害の課題は残されたままである。
【特許文献１】特開平５−３２８９３８号公報
【特許文献２】特開２０００−２８１５８３号公報
【発明の開示】
【発明が解決しようとする課題】
【０００６】
前項記載の背景技術の下において、本発明は、少量の摂取でも十分な排便促進等の便通改善効果を示す、安全性の高い、また、ミネラル吸収抑制の弊害のない優れた便通改善剤、及びこの便通改善剤を含む便通改善効果を有する飲食品を提供することを目的とする。
【課題を解決するための手段】
【０００７】
本発明者らは、γ−ＰＧＡの生理機能の研究を行う中で、γ−ＰＧＡが便通改善効果を有することを見出し、このような知見に基づいて本発明を完成するに至った。
【０００８】
すなわち、本発明はγ−ＰＧＡを有効成分とすることを特徴とする便通改善剤に関し、またγ−ＰＧＡを添加したことを特徴とする便通改善剤効果を有する飲食品に関する。
【発明の効果】
【０００９】
本発明の便通改善剤または便通改善効果を有する飲食品によれば、γ−ＰＧＡを含有することにより、これを摂取することによって便通が改善されるという効果がもたらされる。
【発明を実施するための最良の形態】
【００１０】
以下、本発明を詳細に説明する。
【００１１】
本発明の便通改善剤または便通改善効果を有する飲食品の有効成分であるγ−ＰＧＡは、納豆菌などのバチルス属の菌が菌体外に分泌するポリペプチドで、納豆菌等の培養液より得ることが出来る。その分子量は、菌体、培養方法、培養液からの精製方法によって差があり、数千〜数百万のものまで知られている。市販品としては例えば味の素（株）製「カルテイク」がある。
【００１２】
本発明のγ−ＰＧＡを有効成分とする便通改善剤の製剤化については、これには特別な制限はなく、当業者であれば、常法の製剤化技術を適宜使用して製剤とすることができ、差支えがなければ極端な場合はγ−ＰＧＡをそのまま服用することもできる。常法の製剤化技術には、結晶セルロース等のセルロースおよびその誘導体、トウモロコシ澱粉やデキストリン等の澱粉およびその誘導体、乳糖、ブドウ糖、マンニトール、ソルビトール等の糖およびその誘導体、アラビアゴム等の天然高分子化合物、炭酸カルシウム、塩化ナトリウム等の無機物質その他の賦形剤、ショ糖、アスパルテーム等のアミノ酸系甘味料、サッカリン、アセスルフェームＫ、シュクラロースその他の嬌味剤、結合剤、崩壊剤、滑沢剤、コーティング剤等の添加剤との併用が含まれ、また、剤形も、適宜、カプセル剤、液剤、顆粒剤、散剤、錠剤などの形態とすることができる。
【００１３】
なお、本発明者らによれば、γ−ＰＧＡの摂取が、１日体重１ｋｇ当り０．５ｇ未満の摂取量でも、便通改善効果が確認されているが、本発明の実施においては、目的とする製剤や飲食品に応じてγ−ＰＧＡの含有量を適宜決定すればよく、便通改善効果を得るために摂取すべきγ−ＰＧＡ量についても、特に限定はされない。
【００１４】
本発明のγ−ＰＧＡを添加した、便通改善効果を有する飲食品の製造についても、これには特別な制限はなく、γ−ＰＧＡを添加して、便通不良時の便通改善のための病態食の形態に調製することができる。
【実施例】
【００１５】
試験例１
（１）試験方法
５週齢のＳＤ系雄ラット（８匹）を１週間予備飼育して飼育環境に馴化させ、健康状態に問題のないことを確認して試験に供した。なお、予備飼育および試験飼育期間を通して水道水及び市販の固形飼料を自由摂取させた。
【００１６】
８匹を無作為に１群４匹ずつの２群に分けた。１群には、γ―ＰＧＡ粉末（味の素（株）製「カルテイク」、Ｇｌｕ換算純度８２％）を体重１ｋｇ当たり０．５ｇとなるようにして１回投与した（０．５ＰＧＡ群）。他の１群には、γ―ＰＧＡを体重１ｋｇ当たり０．８ｇとなるようにして１回投与した（０．８ＰＧＡ群）。
【００１７】
投与後１週間飼育を継続した。なお、両群ともに試験飼育期間中の飼料摂取量は安定しており、体重増加は一定であった。また、下痢の症状等も認められなかった。
【００１８】
投与前々日から投与までの２日間（４８時間）と、投与後２日間（４８時間）の糞を採取した。糞乾燥重量を排泄量の目安として測定した。
【００１９】
（２）測定結果
この試験結果を図１にそれぞれ各群の平均値と標準誤差で示した。図１で示されるように、γ−ＰＧＡを投与したときに糞乾燥重量の増加が認められた。また、０．５ＰＧＡより０．８ＰＧＡにおいて糞乾燥重量の増加の程度は大きかった。これよりγ−ＰＧＡが便通改善効果を有することが分かる。
【図面の簡単な説明】
【００２０】
【図１】図１は、０．５ＰＧＡ群と０．８ＰＧＡ群の糞乾燥重量を示すグラフである（試験例１）。
【図１】
2007022982.tif 000002